(57)【要約】      （修正有）【課題】網点セルを夫々特有の配置にすることにより、彫刻造印刷版と腐食造印刷版とを併用してグラビア印刷することを可能にし、両方式の長所を活かした印刷が行われるようにする。【解決手段】彫刻造印刷版の網点セルａは印刷方向に対し左右に夫々ｔａｎ−１（１／２）度傾斜する複数本の直線の交点に配設され、かつ該各網点セルの縦方向と横方向とが同長の１モジュールＭになるように該各網点セルの縦横のピッチを設定し、腐食造印刷版の網点セルｄは正格子状に交わる複数本の直線を印刷方向に対し左右いずれかにｔａｎ−１（１／２）度傾斜させた該各直線の交点に配設し、該腐食造印刷版の各網点セルの縦方向と横方向が前記彫刻造印刷版と同長の１モジュールＭになるように夫々縦横のピッチを設定し、彫刻造印刷版の１モジュール両端の網点セルと腐食造印刷版の１モジュール両端の網点セルが重なるように彫刻造印刷版と腐食造印刷版とを共に用いて印刷する。【選択図】図８
2008001075.tif 000002
【特許請求の範囲】
【請求項１】
彫刻法により網点セルが形成された彫刻造印刷版と、腐食法により網点セルが形成された腐食造印刷版とを備え、彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項２】
彫刻法により網点セルが形成された彫刻造印刷版と、腐食法により網点セルが形成された腐食造印刷版とを備え、彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項３】
彫刻法により網点セルが形成された彫刻造印刷版と、腐食法により網点セルが形成された腐食造印刷版とを備え、彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項４】
彫刻法により網点セルが形成された彫刻造印刷版と、腐食法により網点セルが形成された腐食造印刷版とを備え、彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項５】
彫刻法により網点セルが形成された彫刻造印刷版と、腐食法により網点セルが形成された腐食造印刷版とを備え、彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項６】
彫刻法により網点セルが形成された彫刻造印刷版と、腐食法により網点セルが形成された腐食造印刷版とを備え、彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項７】
彫刻法により網点セルが形成された第１および第２の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項８】
彫刻法により網点セルが形成された第１および第２の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項９】
彫刻法により網点セルが形成された第１および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項１０】
彫刻法により網点セルが形成された第１および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項１１】
彫刻法により網点セルが形成された第２および第３の彫刻造印刷版と、腐食法により網点セルが形成された腐食造印刷版とを備え、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項１２】
彫刻法により網点セルが形成された第２および第３の彫刻造印刷版と、腐食法により網点セルが形成された腐食造印刷版とを備え、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴としたグラビア印刷法。
【請求項１３】
彫刻法により網点セルが形成された第１、第２および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュールの両端の網点セルと腐食造印刷版の１モジュールの両端の網点セルが重なるように該彫刻造印刷版と該腐食造印刷版とを共に用いて印刷することを特徴としたグラビア印刷法。
【請求項１４】
彫刻法により網点セルが形成された第１、第２および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュールの両端の網点セルと腐食造印刷版の１モジュールの両端の網点セルが重なるように該彫刻造印刷版と該腐食造印刷版とを共に用いて印刷することを特徴としたグラビア印刷法。
【請求項１５】
２枚の腐食造印刷版を用い、該腐食造印刷版は正格子状に直角に交わる複数本の直線をその直角を保ったままで印刷方向に対し傾斜方向が互いに異なるように傾斜させた該各直線の交点に網点セルを配置したものであることを特徴とした請求項１〜１４のいずれかに記載したグラビア印刷法。
【請求項１６】
２枚の腐食造印刷版を用い、該腐食造印刷版は正格子状に直角に交わる複数本の直線をその直角を保ったままで印刷方向に対し傾斜角度が互いに異なるように傾斜させた該各直線の交点に網点セルを配置したものであることを特徴とした請求項１〜１４のいずれかに記載したグラビア印刷法。
【請求項１７】
２〜４枚の腐食造印刷版を用い、該腐食造印刷版は正格子状に直角に交わる複数本の直線をその直角を保ったままで印刷方向に対し傾斜方向および傾斜角度が互いに異なるように傾斜させた該各直線の交点に網点セルを配置したものであることを特徴とした請求項１〜１４のいずれかに記載したグラビア印刷法。
【発明の詳細な説明】
【技術分野】
【０００１】
本発明は、彫刻法により製版された彫刻造印刷版と、腐食法により製版された腐食造印刷版とを用い、該各印刷版の網点セルの配列により滑らかで精細な表現を可能にするグラビア印刷法に関するものである。
【背景技術】
【０００２】
グラビア製版の方式は、彫刻法と腐食法の２つが主流である。彫刻法は、周知のようにダイヤモンド針を画像データの電気信号に従って振動させるとともに、銅版（筒状のもの）の表面に該ダイヤモンド針を当てて該銅版の表面を切削することで逆ピラミッド形の穴（網点セルと称される）を刻設するものであり、穴の深さが自由で高精度に設定でき、インキ保有量の制御が容易であるので、階調表現がスムースとなり色調再現性がよいなどの利点がある。一方、腐食法はエッチング法とも称されるもので、銅版表面に塗布された感光性樹脂をレーザー光線を当てることにより部分的に硬化させ、該感光性樹脂のレーザー光線が当たらなかった部分を洗い流した後、腐食液により該銅版表面のレーザー光線が当たらなかった部分を腐食させることにより網点セルを形成するものであり、網点セルのピッチを細かいものでも短時間で容易に製版できる利点があるとともに、網点セルのピッチを細かくすることにより細かい文字でもきれいに精細に印刷できる利点がある。また、彫刻法はダイヤモンド針を銅版の回転軸方向に定ピッチ宛移動させて網点セルを刻設するものであるので、その回転軸方向には網点セルを一定のピッチでしか形成できないのに対し、腐食法はレーザー光線によるものであるのでピッチを自由に設定できることから精細な印刷が可能となるなど、両方式にはそれぞれ一長一短があり、色鮮やかな写真の印刷は彫刻法によって製版された彫刻造印刷版が得意とするところであり、小さい文字や細い線の多い印刷は腐食法により製版された腐食造印刷版が得意とするところであった。
【０００３】
なお下記特許文献１，２には、彫刻法により製版した印刷版を使用するグラビア印刷方法およびその網点セルの配置が示されている。
【特許文献１】特開平１０−２６４３５０号公報
【特許文献２】特開平６−３１１３５７号公報
【発明の開示】
【発明が解決しようとする課題】
【０００４】
ところで従来の網点セルの配置では、彫刻造印刷版と腐食造印刷版との両印刷版を共に用いて印刷する（併用する）と、各印刷版の網点セルが重なったり重ならなかったりランダムな状態になるため、モアレ（シマ模様）等の色ムラが発生し、仕上がりが悪いものになった。このため従来ではいずれが一方の方式により製版された印刷版を使用せざるを得ないものであった。
また、例えば、カラー写真と、その説明のための小さい文字、或いは細い直線等（以下、小さい文字という）を一枚の紙に印刷しようとする場合に、彫刻造印刷版を使用すると、写真の色再現性は優れるものの、小さい文字の精細性が得られず、腐食造印刷版を使用するとその反対に小さい文字の精細性は得られるものの写真の色再現性が悪くなるなど、写真または文字のいずれかの仕上がりが十分に満足できるものとならないという問題がある。また、印刷の品質を上げるために１枚の印刷物に対して多数枚の印刷版を製版しなければならないこととなると、印刷コストを徒に上昇させるおそれがあった。
そこで本発明は、網点セルを夫々特有の配置にすることにより、彫刻造印刷版と腐食造印刷版とを併用して印刷することを可能にし、両方式の長所を活かし得る新たなグラビア印刷法を提供しようとするものである。
【課題を解決するための手段】
【０００５】
そのために、請求項１に記載したグラビア印刷法は、彫刻法により網点セルが形成された彫刻造印刷版と、腐食法により網点セルが形成された腐食造印刷版とを備え、彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴とする。
【０００６】
また、請求項２に記載したグラビア印刷法は、彫刻法により網点セルが形成された彫刻造印刷版と、腐食法により網点セルが形成された腐食造印刷版とを備え、彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴とする。
【０００７】
また、請求項３に記載したグラビア印刷法は、彫刻法により網点セルが形成された彫刻造印刷版と、腐食法により網点セルが形成された腐食造印刷版とを備え、彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴とする。
【０００８】
また、請求項４に記載したグラビア印刷法は、彫刻法により網点セルが形成された彫刻造印刷版と、腐食法により網点セルが形成された腐食造印刷版とを備え、彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴とする。
【０００９】
また、請求項５に記載したグラビア印刷法は、彫刻法により網点セルが形成された彫刻造印刷版と、腐食法により網点セルが形成された腐食造印刷版とを備え、彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１０】
また、請求項６に記載したグラビア印刷法は、彫刻法により網点セルが形成された彫刻造印刷版と、腐食法により網点セルが形成された腐食造印刷版とを備え、彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１１】
また、請求項７に記載したグラビア印刷法は、彫刻法により網点セルが形成された第１および第２の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１２】
また、請求項８に記載したグラビア印刷法は、彫刻法により網点セルが形成された第１および第２の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１３】
また、請求項９に記載したグラビア印刷法は、彫刻法により網点セルが形成された第１および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１４】
また、請求項１０に記載したグラビア印刷法は、彫刻法により網点セルが形成された第１および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１５】
また、請求項１１に記載したグラビア印刷法は、彫刻法により網点セルが形成された第２および第３の彫刻造印刷版と、腐食法により網点セルが形成された腐食造印刷版とを備え、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１６】
また、請求項１２に記載したグラビア印刷法は、彫刻法により網点セルが形成された第２および第３の彫刻造印刷版と、腐食法により網点セルが形成された腐食造印刷版とを備え、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュール両端の網点セルと腐食造印刷版の１モジュール両端の網点セルが重なるように該彫刻造印刷版と該腐食造印刷版とを共に用いて印刷することを特徴とする。
【００１７】
また、請求項１３に記載したグラビア印刷法は、彫刻法により網点セルが形成された第１、第２および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／２）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュールの両端の網点セルと腐食造印刷版の１モジュールの両端の網点セルが重なるように該彫刻造印刷版と該腐食造印刷版とを共に用いて印刷することを特徴とする。
【００１８】
また、請求項１４に記載したグラビア印刷法は、彫刻法により網点セルが形成された第１、第２および第３の彫刻造印刷版と、腐食法により網点セルが形成された腐食造印刷版とを備え、第１の彫刻造印刷版の網点セルは印刷方向に対し左右に夫々ｔａｎ−１（１／２）度傾斜することで斜格子状に交差する複数本の直線の交点に配設され、かつ該各網点セルの縦方向２ピッチ分と横方向４ピッチ分とが同長の１モジュールになるように該各網点セルの縦横のピッチを設定し、第２の彫刻造印刷版の網点セルは印刷方向に対し左右に夫々ｔａｎ−１２度傾斜することで斜格子状に交差する複数本の直線の交点に配設され、かつ該各網点セルの縦方向４ピッチ分と横方向２ピッチ分とが同長の１モジュールになるように該各網点セルの縦横のピッチを設定し、第３の彫刻造印刷版の網点セルは印刷方向に対し左右に夫々４５度傾斜することで正格子状に交差する複数本の直線の交点に配設され、かつ該各網点セルの縦方向３ピッチ分と横方向３ピッチ分とが同長の１モジュールになるように該各網点セルの縦横のピッチを設定する一方、腐食造印刷版の網点セルは正格子状に直角に交わる複数本の直線をその直角を保ったままで印刷方向に対し左右いずれかにｔａｎ−１（１／３）度傾斜させた該各直線の交点に配設し、該腐食造印刷版の各網点セルの縦方向２ピッチ分と横方向２ピッチ分が前記彫刻造印刷版の１モジュールと同長の１モジュールになるように夫々縦横のピッチを設定し、各彫刻造印刷版の１モジュールの両端の網点セルと腐食造印刷版の１モジュールの両端の網点セルが重なるように該彫刻造印刷版と該腐食造印刷版とを共に用いて印刷することを特徴とする。
【００１９】
また、請求項１５に記載した発明は上記グラビア印刷法において、２枚の腐食造印刷版を用い、該腐食造印刷版は正格子状に直角に交わる複数本の直線をその直角を保ったままで印刷方向に対し傾斜方向が互いに異なるように傾斜させた該各直線の交点に網点セルを配置したものであることを特徴とする。
【００２０】
また、請求項１６に記載した発明は上記グラビア印刷法において、２枚の腐食造印刷版を用い、該腐食造印刷版は正格子状に直角に交わる複数本の直線をその直角を保ったままで印刷方向に対し傾斜角度が互いに異なるように傾斜させた該各直線の交点に網点セルを配置したものであることを特徴とする。
【００２１】
また、請求項１７に記載した発明は上記グラビア印刷法において、２〜４枚の腐食造印刷版を用い、該腐食造印刷版は正格子状に直角に交わる複数本の直線をその直角を保ったままで印刷方向に対し傾斜方向および傾斜角度が互いに異なるように傾斜させた該各直線の交点に網点セルを配置したものであることを特徴とする。
【発明の効果】
【００２２】
彫刻造印刷版と腐食造印刷版との両方を用いても色ムラを発生させることのない綺麗な印刷を可能にする。このため、用途に応じ彫刻造印刷版と腐食造印刷版の長所を夫々生かした印刷ができるようになる。
【発明を実施するための最良の形態】
【００２３】
図１は、彫刻法により形成される第１の彫刻造印刷版Ａの網点セルａの配置を示すもので、この印刷版Ａの各網点セルａは印刷方向ｈに対し左右に夫々θ＝ｔａｎ−１（１／２）度傾斜することで斜格子状に交差する複数本の直線ｍａ、ｎａの交点に配設され、かつ同図中正方形で示したように該各網点セルａの縦方向２ピッチ分と横方向４ピッチ分とが同長の１モジュールＭになるように該各網点セルａの縦横のピッチが設定される。
【００２４】
図２は、図１と同じく彫刻法により形成される第２の彫刻造印刷版Ｂの網点セルｂの配置を示すもので、この印刷版Ｂの各網点セルｂは印刷方向ｈに対し左右に夫々θ＝ｔａｎ−１２度傾斜することで斜格子状に交差する複数本の直線ｍｂ、ｎｂの交点に配設され、かつ同図中正方形で示したように該各網点セルｂの縦方向４ピッチ分と横方向２ピッチ分とが同長の１モジュールＭになるように該各網点セルｂの縦横のピッチが設定される。
【００２５】
図３は、同じく彫刻法により形成される第３の彫刻造印刷版Ｃの網点セルｃの配置を示すもので、この印刷版Ｃの各網点セルｃは印刷方向ｈに対し左右に夫々θ＝４５度傾斜することで正格子状に交差する複数本の直線ｍｃ、ｎｃの交点に配設され、かつ同図中正方形で示したように該各網点セルｃの縦方向３ピッチ分と横方向３ピッチ分とが同長の１モジュールＭになるように該各網点セルｃの縦横のピッチが設定される。
【００２６】
なお、彫刻法では上記網点セルはダイヤモンド針により一般に正方形に形成されるが、図は網点セルの配置を示すものであるので円形にて代用して表している。また、上記１モジュールＭの長さは任意に設定できるが、例えば２８８μｍとする。
【００２７】
一方、図４は、腐食法により形成される第１の腐食造印刷版Ｄの網点セルｄの配置を示すもので、この印刷版Ｄの各網点セルｄは、正格子状に直角に交わる複数本の直線ｍｄ、ｎｄをその直角を保ったままで印刷方向ｈに対し左にθ＝ｔａｎ−１（１／２）度傾斜させた該各直線ｍｄ、ｎｄの交点に配設するとともに、同図中正方形で示したように該腐食造印刷版Ｄの各網点セルｄの縦方向２ピッチ分と横方向２ピッチ分が前記彫刻造印刷版の１モジュールＭと同長の１モジュールＭになるように夫々縦横のピッチを設定する。
【００２８】
また、図５は、図４と同じく腐食法により形成される第２の腐食造印刷版Ｅの網点セルｅの配置を示すもので、この印刷版Ｅの各網点セルｅは、正格子状に直角に交わる複数本の直線ｍｅ、ｎｅをその直角を保ったままで印刷方向ｈに対し右にθ＝ｔａｎ−１（１／２）度傾斜させた該各直線ｍｅ、ｎｅの交点に配設するとともに、同図中正方形で示したように該腐食造印刷版Ｅの各網点セルｅの縦方向２ピッチ分と横方向２ピッチ分が前記彫刻造印刷版の１モジュールＭと同長の１モジュールＭになるように夫々縦横のピッチを設定する。
【００２９】
図６は同じく腐食法により形成される第３の腐食造印刷版Ｆの網点セルｆの配置を示すもので、この印刷版Ｆの各網点セルｆは、正格子状に直角に交わる複数本の直線ｍｆ、ｎｆをその直角を保ったままで印刷方向ｈに対し左にθ＝ｔａｎ−１（１／３）度傾斜させた該各直線ｍｆ、ｎｆの交点に配設するとともに、同図中正方形で示したように該腐食造印刷版Ｆの各網点セルｆの縦方向２ピッチ分と横方向２ピッチ分が前記彫刻造印刷版の１モジュールＭと同長の１モジュールＭになるように夫々縦横のピッチを設定する。
【００３０】
図７は同じく腐食法により形成される第４の腐食造印刷版Ｇの網点セルｇの配置を示すもので、この印刷版Ｇの各網点セルｇは、正格子状に直角に交わる複数本の直線ｍｇ、ｎｇをその直角を保ったままで印刷方向ｈに対し右にθ＝ｔａｎ−１（１／３）度傾斜させた該各直線ｍｇ、ｎｇの交点に配設するとともに、同図中正方形で示したように該腐食造印刷版Ｇの各網点セルｇの縦方向２ピッチ分と横方向２ピッチ分が前記彫刻造印刷版の１モジュールＭと同長の１モジュールＭになるように夫々縦横のピッチを設定する。
【００３１】
しかして、本発明は、上記彫刻造印刷版Ａ〜Ｃのうちのいずれか１つ又は複数の印刷版と、上記腐食造印刷版Ｄ〜Ｇのうちのいずれか１つ又は複数の印刷版を使用して１つの印刷物を印刷する。どのような組み合わせとするかはその印刷物の特質に合わせて最適な組み合わせが選択される。
請求項１に記載した発明は上記彫刻造印刷版Ａと腐食造印刷版ＤまたはＥを使用するものである。また、請求項２に記載した発明は上記彫刻造印刷版Ａと腐食造印刷版ＦまたはＧを使用するものである。また、請求項３に記載した発明は上記彫刻造印刷版Ｂと腐食造印刷版ＤまたはＥを使用するものである。また、請求項４に記載した発明は上記彫刻造印刷版Ｂと腐食造印刷版ＦまたはＧを使用するものである。また、請求項５に記載した発明は上記彫刻造印刷版Ｃと腐食造印刷版ＤまたはＥを使用するものである。また、請求項６に記載した発明は上記彫刻造印刷版Ｃと腐食造印刷版ＦまたはＧを使用するものである。
【００３２】
また、請求項７に記載した発明は、上記彫刻造印刷版ＡおよびＢと腐食造印刷版ＤまたはＥを使用するものである。また、請求項８に記載した発明は、上記彫刻造印刷版ＡおよびＢと腐食造印刷版ＦまたはＧを使用するものである。また、請求項９に記載した発明は、上記彫刻造印刷版ＡおよびＣと腐食造印刷版ＤまたはＥを使用するものである。また、請求項１０に記載した発明は、上記彫刻造印刷版ＡおよびＣと腐食造印刷版ＦまたはＦを使用するものである。また、請求項１１に記載した発明は、上記彫刻造印刷版ＢおよびＣと腐食造印刷版ＤまたはＥを使用するものである。また、請求項１２に記載した発明は、上記彫刻造印刷版ＢおよびＣと腐食造印刷版ＦまたはＧを使用するものである。また、請求項１３に記載した発明は、上記彫刻造印刷版ＡおよびＢおよびＣと腐食造印刷版ＤまたはＥを使用するものである。また、請求項１４に記載した発明は、上記彫刻造印刷版ＡおよびＢおよびＣと腐食造印刷版ＦまたはＧを使用するものである。
【００３３】
また、請求項１５に記載した発明は、上記彫刻造印刷版Ａ〜Ｃの任意の組み合わせにおいて、腐食造印刷版ＤおよびＥを使用するものである。また、請求項１６に記載した発明は、上記彫刻造印刷版Ａ〜Ｃの任意の組み合わせにおいて、腐食造印刷版ＤおよびＦまたはＥおよびＧを使用するものである。また、請求項１７に記載した発明は、上記彫刻造印刷版Ａ〜Ｃの任意の組み合わせにおいて、腐食造印刷版Ｄ〜Ｇのうちの任意の２〜４枚を使用するものである。
【実施例１】
【００３４】
図８は、上記彫刻造印刷版Ａ、Ｂ、Ｃと、腐食造印刷版Ｄ、Ｅ（計５枚）を用いて印刷した場合（請求項１３に相当）の各網点セルａ、ｂ、ｃ、ｄ、ｅの分布を示す。彫刻造印刷版Ａ、Ｂ、Ｃに使用する印刷用インクの色は用途に応じ、例えば、シアン、マゼンダ、イエローの三原色が使用される。また、腐食造印刷版Ｄ、Ｅには用途に応じブラック、マゼンダ等が使用される。そして、この印刷に際しては、同図に正方形で示されるように、各印刷版の１モジュールＭの両端の網点セルが互いに重なるようにする。これにより各印刷版の網点セルがランダムでなく綺麗に整然と配列される。このため、網点セルが部分的に片寄ることに基因するような色ムラは発生し難い。
【実施例２】
【００３５】
図９は上記彫刻造印刷版Ａ、Ｂ、Ｃと腐食造印刷版Ｆ、Ｇ（計５枚）を用いて印刷した場合（請求項１４に相当）の各網点セルａ、ｂ、ｃ、ｆ、ｇの分布を示す。彫刻造印刷版Ａ、Ｂ、Ｃには例えばシアン、マゼンダ、イエロー等のインク色が使用され、腐食造印刷版Ｆ、Ｇには用途に応じブラック、シアン等が使用される。この印刷に際しても、同図に正方形で示されるように、各印刷版の１モジュールＭの両端の網点セルが互いに重なるようにする。これにより各印刷版の網点セルが綺麗に整然と配列されることから色ムラが発生し難い。また、この実施例２の場合は、図４、図５と図６、図７とを比較することにより分かるように、腐食造印刷版ＦおよびＧの各網点セル間のピッチ（縦横方向のピッチのことではない）が腐食造印刷版ＤおよびＥよりも細かいことから、一層精細な印刷が可能となる。またこのように網点セルをより細かく精細に配置することは腐食造印刷版の得意とするところであり、細かな製版にも拘わらず彫刻造印刷版のように製版に時間を要しないところも腐食造印刷版の特質であり、本発明ではこのような特質を利用し、小さい文字や細い直線等を精細に印刷することができると同時に、彫刻造印刷版を併用することにより写真を色ムラなく綺麗に印刷することができる。
【００３６】
このように本発明では、少なくとも１枚の彫刻造印刷版と少なくとも１枚の腐食造印刷版とを印刷物に要求される品質、色数等に応じて適宜枚数使用し、これらの印刷版の１モジュールＭを共通同一にし、該モジュールの両端の網点セルが互いに重なるように印刷することにより、色ムラが発生するおそれなく、彫刻造印刷版の長所である色再現性に優れ、しかも腐食造印刷版の長所である精細な印刷を可能にする。このため、特に写真と文字とが共存するような印刷物でも極めて上質にかつ低コストで印刷することができる。
【００３７】
また、色再現性に優れた彫刻造印刷版を製版すると同時に、該彫刻造印刷版に対して短時間で製版できる腐食造印刷版をも使用することにより、両印刷版の特質を活かし、精細でしかも階調表現に優れた色鮮やかな印刷をスピーディーに行うことができる。さらには、写真と文字とが共存する印刷物でも、彫刻造印刷版と腐食造印刷版の特質を夫々活かすことにより、少ない枚数の印刷版を使用し低コストで綺麗な印刷をすることができるなど有益な効果がある。
【図面の簡単な説明】
【００３８】
【図１】本発明に係る彫刻造印刷版の網点セルの配置を示す説明図。
【図２】本発明に係る彫刻造印刷版の網点セルの配置を示す説明図。
【図３】本発明に係る彫刻造印刷版の網点セルの配置を示す説明図。
【図４】本発明に係る腐食造印刷版の網点セルの配置を示す説明図。
【図５】本発明に係る腐食造印刷版の網点セルの配置を示す説明図。
【図６】本発明に係る腐食造印刷版の網点セルの配置を示す説明図。
【図７】本発明に係る腐食造印刷版の網点セルの配置を示す説明図。
【図８】本発明に係るグラビア印刷法によって配置される網点セルの分布図。
【図９】本発明に係るグラビア印刷法によって配置される網点セルの分布図。
【符号の説明】
【００３９】
Ａ                        第１の彫刻造印刷版
Ｂ                        第２の彫刻造印刷版
Ｃ                        第３の彫刻造印刷版
ａ                        第１の彫刻造印刷版の網点セル
ｂ                        第２の彫刻造印刷版の網点セル
ｃ                        第３の彫刻造印刷版の網点セル
Ｄ〜Ｇ                    腐食造印刷版
ｄ〜ｇ                    腐食造印刷版の網点セル
ｈ                        印刷方向
ｍａ、ｎａ〜ｍｇ、ｎｇ    直線
θ                        傾斜角度
Ｍ                        １モジュール
【図１】
2008001075.tif 000003
【図２】
2008001075.tif 000004
【図３】
2008001075.tif 000005
【図４】
2008001075.tif 000006
【図５】
2008001075.tif 000007
【図６】
2008001075.tif 000008
【図７】
2008001075.tif 000009
【図８】
2008001075.tif 000010
【図９】
2008001075.tif 000011